(57)【要約】【課題】生産者の負担を軽くする。履歴管理日誌へのデータの記入を簡単とし、ミスが生じにくいものとする。【解決手段】植物を栽培する際の作業（防除作業）について、少なくとも、その植物の栽培過程に沿って時系列に並べられた各作業工程の実施時期（農薬の散布時期：項目Ｓ１）と、各作業工程で使用する資材の名称（農薬の名称：項目Ｓ４）と、各作業工程を実施した日時（農薬の散布日）および各作業工程で使用した資材の使用量（農薬の散布量）の記入欄（項目Ｓ２，項目Ｓ３）とを記した履歴管理日誌（防除日誌）１０１を発行する。【選択図】  図２
2008003984.tif 000002
【特許請求の範囲】
【請求項１】
植物の栽培に際して行う作業の履歴を管理する栽培履歴管理方法において、
植物を栽培する際の作業の各作業工程およびその作業工程で使用する資材の名称をデータベースに記憶させる第１ステップと、
前記データベースから前記植物を栽培する際の作業の各作業工程およびその作業工程で使用する資材の名称を読み出し、少なくとも、その植物の栽培過程に沿って時系列に並べられた各作業工程の実施時期と、各作業工程で使用する資材の名称と、各作業工程を実施した日時および各作業工程で使用した資材の使用量の記入欄とを記した履歴管理日誌を作成する第２ステップと
を備えることを特徴とする栽培履歴管理方法。
【請求項２】
植物の栽培に際して行う作業の履歴を管理する栽培履歴管理方法において、
植物を栽培する際の作業の各作業工程およびその作業工程で使用する資材の名称をデータベースに記憶させる第１ステップと、
栽培する植物およびその植物を栽培する生産者の指定を受け、前記データベースから前記指定された植物を栽培する際の各作業工程およびその作業工程で使用する資材の名称を読み出し、前記指定された植物の品目名および前記指定された生産者の名前と合わせて、少なくとも、その植物の栽培過程に沿って時系列に並べられた各作業工程の実施時期と、各作業工程で使用する資材の名称と、各作業工程を実施した日時および各作業工程で使用した資材の使用量の記入欄とを記した履歴管理日誌を作成する第２ステップと
を備えることを特徴とする栽培履歴管理方法。
【請求項３】
請求項１又は２に記載された栽培履歴管理方法において、
前記履歴管理日誌に書き込まれている情報を読み取り、この読み取った情報をその履歴管理日誌に書き込まれている生産者の名前および植物の品目名に対応づけて、前記データベースに記憶させる第３ステップ
を備えることを特徴とする栽培履歴管理方法。
【請求項４】
植物の栽培に際して行う作業の履歴を管理する栽培履歴管理システムにおいて、
植物を栽培する際の作業の各作業工程およびその作業工程で使用する資材の名称を記憶したデータベースと、
前記データベースから前記植物を栽培する際の作業の各作業工程およびその作業工程で使用する資材の名称を読み出し、少なくとも、その植物の栽培過程に沿って時系列に並べられた各作業工程の実施時期と、各作業工程で使用する資材の名称と、各作業工程を実施した日時および各作業工程で使用した資材の使用量の記入欄とを記した履歴管理日誌を作成す履歴管理日誌作成手段と
を備えることを特徴とする栽培履歴管理システム。
【請求項５】
植物の栽培に際して行う作業の履歴を管理する栽培履歴管理システムにおいて、
植物を栽培する際の作業の各作業工程およびその作業工程で使用する資材の名称を記憶したデータベースと、
栽培する植物およびその植物を栽培する生産者の指定を受け、前記データベースから前記指定された植物を栽培する際の各作業工程およびその作業工程で使用する資材の名称を読み出し、前記指定された植物の品目名および前記指定された生産者の名前と合わせて、少なくとも、その植物の栽培過程に沿って時系列に並べられた各作業工程の実施時期と、各作業工程で使用する資材の名称と、各作業工程を実施した日時および各作業工程で使用した資材の使用量の記入欄とを記した履歴管理日誌を作成する履歴管理日誌作成手段と
を備えることを特徴とする栽培履歴管理システム。
【請求項６】
請求項４又は５に記載された栽培履歴管理システムにおいて、
前記履歴管理日誌に書き込まれている情報を読み取り、この読み取った情報をその履歴管理日誌に書き込まれている生産者の名前および植物の品目名に対応づけて、前記データベースに記憶させる手段
を備えることを特徴とする栽培履歴管理システム。
【発明の詳細な説明】
【技術分野】
【０００１】
この発明は、防除作業や施肥作業などの植物の栽培に際して行う作業の履歴を管理する栽培履歴管理方法および栽培履歴管理システムに関するものである。
【背景技術】
【０００２】
従来より、植物を栽培する場合、害虫などからの防除を目的として各種の農薬が用いられている。この農薬を用いた作業を防除作業と呼んでいる。防除作業は、植物の栽培過程に沿って行われ、収穫後の防除作業、発芽前の防除作業、開花前の防除作業など、複数の作業工程に分かれる。生産者には、栽培した植物を出荷する際、防除作業の履歴（農薬の使用状況、使用した農薬の種類、時期など）を情報として開示することが要求される（例えば、特許文献１参照）。
【０００３】
図３は防除作業の履歴を管理するために管理組合から生産者に配布される防除日誌（履歴管理日誌）の一例である。この防除日誌１００には、「殺菌剤」，「殺虫殺菌剤」「除草剤」などの農薬の種別が区分として記され、その区分に属する農薬の名称（農薬名）、成分数、単位、農薬コードなどと合わせて、農薬の散布日と散布量の記入欄が設けられている。なお、農薬名の記入欄には、その農薬の希釈倍数や散布時期などの使用情報も記されている。
【０００４】
生産者は、防除日誌１００に、管理組合の支店コード、組合員コード、氏名（生産者名）、電話番号、栽培する植物の品目名などを記入したうえ、その植物の栽培過程で使用した農薬の散布日と散布量を手書きで書き込み、管理組合に提出する。管理組合では、生産者から提出された防除日誌１００に書き込まれている農薬の散布日や散布量などをチェックし、希釈倍数などを勘案し所定の使用基準と照らし合わせて、農薬が適正に使用されているか否かを判断する。
【０００５】
【特許文献１】特開２００３−３１６８６１号公報（特願２００２−１２３２９２号）
【発明の開示】
【発明が解決しようとする課題】
【０００６】
しかしながら、上述した従来の栽培履歴の管理方法では、防除日誌１００に、「殺菌剤」，「殺虫殺菌剤」「除草剤」などの農薬の種別を区分として示し、その区分に属する農薬の名称を希釈倍数や散布時期などの情報と合わせて示すようにしているだけであるので、植物の栽培過程に沿った防除作業のスケジュール、すなわち防除作業の各作業工程の実施時期やその作業工程で使用する農薬を定めた防除作業のスケジュールを生産者自身が作成しなければならず、生産者に大きな負担がかかる。
また、防除作業の作業工程毎に、防除日誌１００中より農薬の散布日と散布量の記入欄を、その農薬の種別と農薬名をキーワードとして探し出さなければならず、面倒で、ミスも生じ易い。
この問題は、防除作業だけではなく、施肥作業など他の作業を行う場合にも同様にして生じる。なお、施肥作業に際しては、履歴管理日誌として施肥日誌を用いる。
【０００７】
本発明は、このような課題を解決するためになされたもので、その目的とするところは、生産者にかかる負担を軽くし、履歴管理日誌へのデータの記入も簡単で、ミスが生じにくい、栽培履歴管理方法および栽培履歴管理システムを提供することにある。
【課題を解決するための手段】
【０００８】
このような目的を達成するために本発明は、植物の栽培に際して行う作業の履歴を管理する栽培履歴管理方法において、植物を栽培する際の作業の各作業工程およびその作業工程で使用する資材の名称をデータベースに記憶させる第１ステップと、データベースから植物を栽培する際の作業の各作業工程およびその作業工程で使用する資材の名称を読み出し、少なくとも、その植物の栽培過程に沿って時系列に並べられた各作業工程の実施時期と、各作業工程で使用する資材の名称と、各作業工程を実施した日時および各作業工程で使用した資材の使用量の記入欄とを記した履歴管理日誌を作成する第２ステップとを設けたものである。
【０００９】
この発明によれば、例えば栽培する植物を「もも」、その植物を栽培する際の作業を防除作業とすると、「もも」を栽培する際の防除作業について、各作業工程の実施時期（農薬の散布時期）と、各作業工程で使用する資材の名称（農薬の名称）と、各作業工程を実施した日時（農薬の散布日）および各作業工程で使用した資材の使用量（農薬の散布量）の記入欄とを記した履歴管理日誌（防除日誌）が作成される。
【００１０】
この履歴管理日誌において、各作業工程の実施時期は、植物の栽培過程に沿って時系列に並べられている。また、時系列に並べられた各作業工程に対応して、その作業工程で使用する資材の名称が示されている。また、時系列に並べられた各作業工程に対応して、その作業工程を実施した日時およびその作業工程で使用した資材の使用量の記入欄が設けられている。
【００１１】
したがって、生産者は、履歴管理日誌に時系列に並べられた各作業工程の実施時期および各作業工程で使用する資材の名称から、植物を栽培する際の防除作業のスケジュールを知ることができ、自身で作業のスケジュールを作成する必要がなくなる。また、時系列に並べられた各作業工程に対応して設けられている記入欄に、その作業工程を実施した日時およびその作業工程で使用した資材の使用量を書き込んで行けばよく、履歴管理日誌へのデータの記入が簡単で、ミスが生じにくいものとなる。
【００１２】
本発明において、履歴管理日誌には、生産者側で、栽培する植物の品目名や生産者の名前を記入してもらうようにしてもよく、管理者側で、栽培する植物およびその植物を栽培する生産者を指定するようにし、その植物の品目名およびその植物を栽培する生産者の名前が記入された履歴管理日誌を発行するようにしてもよい。
【００１３】
また、本発明において、履歴管理日誌は紙で発行してもよく、電子データとして発行するようにしてもよい。紙で発行する場合、例えば、履歴管理日誌をプリンタで打ち出し、生産者に配布するようにする。電子データとして発行する場合、例えば、ネットワークを介して生産者側の端末に電子データを送り、その端末の画面上に履歴管理日誌を表示させるようにする。
【００１４】
また、履歴管理日誌を回収した後、その履歴管理日誌に書き込まれている情報を読み取り、この読み取った情報をその履歴管理日誌に書き込まれている生産者の名前および植物の品目名に対応づけて、データベースに記憶するようにしてもよい。履歴管理日誌を紙とした場合、生産者側から履歴管理日誌を回収し、光学式文字認識装置（ＯＣＲ装置）を用いて履歴管理日誌に書き込まれている情報を読み取り、データベースに記憶するようにする。履歴管理日誌を電子データとした場合、生産者側の端末からネットワークを介して管理者側の端末へ電子データを送り、管理者側の端末で履歴管理日誌に書き込まれている情報を読み取って、データベースに記憶するようにする。
【００１５】
また、本発明において、植物を栽培する際の作業は、防除作業、施肥作業など各種の作業が考えられる。また、本発明は、栽培履歴管理方法としてではなく、栽培管理システムとして実現することも可能である。
【発明の効果】
【００１６】
本発明によれば、植物を栽培する際の作業について、少なくとも、その植物の栽培過程に沿って時系列に並べられた各作業工程の実施時期と、各作業工程で使用する資材の名称と、各作業工程を実施した日時および各作業工程で使用した資材の使用量の記入欄とを記した履歴管理日誌を作成するようにしたので、履歴管理日誌に時系列に並べられた各作業工程の実施時期および各作業工程で使用する資材の名称から作業のスケジュールを知ることができ、自身で作業のスケジュールを作成する必要がなくなり、生産者にかかる負担を軽くすることができる。また、時系列に並べられた各作業工程に対応して設けられている記入欄に、その作業工程を実施した日時およびその作業工程で使用した資材の使用量を書き込んで行けばよく、履歴管理日誌へのデータの記入が簡単で、ミスが生じにくいものとなる。
【発明を実施するための最良の形態】
【００１７】
以下、本発明を図面に基づいて詳細に説明する。図１はこの発明に係る栽培履歴管理方法の実施に用いる栽培履歴管理システムの一例を示す図である。同図において、１は管理センタ、２は管理支部、３は農家（生産者）、４はネットワーク（インターネット）である。管理支部２は、各地に設けられており、管轄する地域内の農家３を管理する。
【００１８】
管理センタ１には、管理装置１０と、生産履歴管理サーバ１１とが設けられており、これらはインターネット４に接続されている。なお、生産履歴管理サーバ１１は、データベース１２を有している。
【００１９】
管理支部２には、管理装置２０と、プリンタ２１と、ＯＣＲ装置（光学式文字読取装置）２２とが設けられている。プリンタ２１およびＯＣＲ装置２２は管理装置２０に接続されており、管理装置２０はインターネット４に接続されている。
【００２０】
管理装置１０や２０は、プロセッサや記憶装置からなるハードウェアと、これらのハードウェアと協働して各種機能を実現させるプログラムとによって実現される。具体的には、パーソナルコンピュータ（パソコン）にプログラムがインストールされ、このインストールされたプログラムに従うＣＰＵの処理動作として実現される。
【００２１】
〔管理支部での防除日誌の発行〕
管理支部２において、管理者は、農家３に植物の栽培を依頼する場合、農家３へ防除日誌（ＯＣＲ帳票）１０１を配布する。この防除日誌１０１は、栽培する植物およびその植物を栽培する生産者を管理装置２０の画面上で指定することにより、プリンタ２１から打ち出されたものである。
【００２２】
防除日誌１０１には、図２に示されるように、プリンタ２１から打ち出された時点で、管理組合の支店コード、組合員コード、氏名（生産者名）、電話番号、栽培する植物の品目名などの情報が記入されている。図２に示した防除日誌１０１は、栽培する植物として「もも」を指定し、その植物を栽培する生産者として「果樹  三郎」を指定した場合のものである。
【００２３】
管理装置２０は、栽培する植物およびその植物を栽培する生産者が指定されると、インターネット４を介して管理センタ４の生産履歴管理サーバ１１にアクセスし、その植物を栽培する際の防除作業に関する情報と生産者の情報を取り出す。そして、この取り出した情報に基づいて、防除日誌１０１を作成し、プリンタ２１から打ち出す。
【００２４】
防除日誌１０１には、管理組合の支店コード、組合員コード、生産者名、電話番号、栽培する植物の品目名などの情報と合わせて、防除作業の各作業工程の実施時期、各作業工程で使用する資材の名称（農薬の名称）、各作業工程を実施した日時（農薬の散布日），各作業工程で使用した資材の使用量（農薬の散布量）および希釈倍数の記入欄などが記される。
【００２５】
これらは、防除日誌１０１中に表形式で示され、項目Ｓ１に「体系区分」として、指定された植物の栽培過程に沿って、防除作業の各作業工程の実施時期が時系列に並べられる。この例では、「もも」の栽培過程に沿って、「収穫後１」、「収穫後２」、「収穫後３」、「発芽前」、「４／１０頃」、「開花前」、「特散」、「落下１０日後」、「５／５頃」、「５／１５頃」、「５／２５頃」、「６月上旬」、「６／５頃」、「６／１５頃」、「６／２５頃」というように、防除作業の各作業工程の実施時期が時系列に並べられている。
【００２６】
また、項目Ｓ２に「散布日」として、防除作業の各作業工程に対応して、その作業工程を実施した日時の記入欄が設けられる。また、項目Ｓ３に「散布量」として、防除作業の各作業工程に対応して、その作業工程で使用した農薬の散布量の記入欄が設けられる。また、項目Ｓ４に「農薬名」として、防除作業の各作業工程に対応して、その作業工程で使用する農薬の名称が示される。また、項目Ｓ５に「希釈倍数」として、防除作業の各作業工程に対応して、その作業工程で使用した農薬の希釈倍数の記入欄が設けられる。
【００２７】
〔防除作業のスケジュール〕
農家３では、管理支部２からの依頼を受けて、「もも」を栽培する。この際、生産者は、管理支部２から発行された防除日誌１０１を参考にし、この防除日誌１０１中に時系列に並べられた各作業工程の実施時期および各作業工程で使用する農薬名から、「もも」を栽培する際の防除作業のスケジュールを知る。この場合、生産者は、自身で防除作業のスケジュールを作成する必要がなく、生産者にかかる負担が軽くなる。
【００２８】
〔防除日誌への散布日および散布量の記入〕
生産者は、防除日誌１０１から防除作業のスケジュールを知り、この防除作業のスケジュールに合わせて防除作業を進めて行く。この例では、先ず最初に「収穫後１」の作業工程を行う。この「収穫後１」の作業工程では、その作業工程に対応して項目Ｓ４に示されている農薬名から、使用する農薬の名称を知る。生産者は、この農薬を散布した後、「収穫後１」の作業工程に対応して設けられている項目Ｓ２の記入欄に散布日を、項目Ｓ３の記入欄に散布量を、項目Ｓ５の記入欄に希釈倍数を書き込む。
【００２９】
次に、「収穫後２」の作業工程を行う。この「収穫後２」の作業工程では、その作業工程に対応して項目Ｓ４に示されている農薬名から、使用する農薬の名称を知る。生産者は、この農薬を散布した後、「収穫後２」の作業工程に対応して設けられている項目Ｓ２の記入欄に散布日を、項目Ｓ３の記入欄に散布量を、項目Ｓ５の記入欄に希釈倍数を書き込む。
【００３０】
以下同様にして、「収穫後３」、「発芽前」、「４／１０頃」、「開花前」、「特散」、「落下１０日後」、「５／５頃」、「５／１５頃」、「５／２５頃」、「６月上旬」、「６／５頃」、「６／１５頃」、「６／２５頃」の各作業工程について、その作業工程に対応して項目Ｓ４に示されている農薬名から使用する農薬の名称を知り、その農薬を散布する。また、農薬を散布する毎に、その作業工程に対応して設けられている項目Ｓ２の記入欄に散布日を、項目Ｓ３の記入欄に散布量を、項目Ｓ５の記入欄に希釈倍数を書き込む。
【００３１】
このように、本実施の形態では、時系列に並べられた各作業工程に対応して設けられている記入欄に、その作業工程を実施した日時やその作業工程で使用した農薬の使用量を書き込んで行けばよく、防除日誌１０１へのデータの記入が簡単で、ミスが生じにくいものとなる。
【００３２】
〔防除日誌の回収〕
農家３は、管理支部２からの要求に応じて、防除日誌１０１を提出する。管理支部２では、農家３から回収した防除日誌１０１をＯＣＲ装置２２にセットし、防除日誌１０１に書き込まれている情報を読み取らせる。このＯＣＲ装置２２が読み取った情報は管理装置２０に送られる。
【００３３】
管理装置２０は、ＯＣＲ装置２２が読み取った情報を受け取り、農薬の散布日や散布量などをチェックし、希釈倍数などを勘案し所定の使用基準と照らし合わせて、農薬が適正に使用されているか否かを判断する。また、ＯＣＲ装置２２が読み取った情報をネットワーク４を介して生産履歴管理サーバ１１へ送り、防除日誌１０１に記載されている生産者の名前および植物の品目名と対応づけて、データベース１２に記憶させる。
【００３４】
なお、上述した実施の形態では、栽培する植物およびその植物を栽培する生産者を管理装置２０の画面上で指定するようにし、指定された植物の品目名およびその植物を栽培する生産者の名前が記入された防除日誌１０１をプリンタ２１から打ち出すようにしたが、栽培する植物の品目名やその植物を栽培する生産者の名前を生産者側で防除日誌１０１に記入してもらうようにしてもよい。
【００３５】
また、上述した実施の形態では、防除日誌１０１を紙で発行するようにしたが、電子データとして発行するようにしてもよい。電子データとして発行する場合、例えば、ネットワーク４を介して生産者側の端末（図示せず）に送り、その端末の画面上に表示させるようにする。この場合、生産者は、端末の画面上に表示された防除日誌１０１に散布日や散布量などのデータを打ち込み、ネットワーク４を介して管理装置２０へ送る。管理装置２０は、生産者側の端末から送られてきた防除日誌１０１に書き込まれている情報を読み取り、所定の使用基準と照らし合わせて、農薬が適正に使用されているか否かを判断する。また、その情報をネットワーク４を介して生産履歴管理サーバ１１へ送り、データベース１２に記憶させる。
【００３６】
また、上述した実施の形態では、植物を栽培する際の作業として防除作業を行う場合について説明したが、施肥作業など他の作業にも同様にして適用することができる。施肥作業を行う場合、施肥日誌を発行するようにする。この場合、施肥日誌には、施肥日や施肥量をデータとして書き込む。
【００３７】
また、上述した実施の形態では、栽培する植物を「もも」としたが、栽培する植物は「もも」に限られるものでないことは言うまでもなく、「もも」にもその栽培方法などによって種類が分かれており、「もも一般栽培」などとしてその植物を指定するようにしてもよい。
【図面の簡単な説明】
【００３８】
【図１】本発明に係る栽培履歴管理方法の実施に用いる栽培履歴管理システムの一例を示す図である。
【図２】この栽培履歴管理システムの管理支部で発行される防除日誌を例示する図である。
【図３】防除作業の履歴を管理するために管理組合から生産者に配布される従来の防除日誌を例示する図である。
【符号の説明】
【００３９】
１…管理センタ、２…管理支部、３…農家、１０…管理装置、１１…生産履歴管理サーバ、１２…データベース、２０…管理装置、２１…プリンタ、２２…ＯＣＲ装置、１０１…防除日誌、Ｓ１〜Ｓ４…項目。
【図１】
2008003984.tif 000003
【図２】
2008003984.tif 000004
【図３】
2008003984.tif 000005